(57)【要約】      （修正有）【課題】包装材を焼却処分しても、高温やダイオキシンの発生がなく、地球に優しく、また被包装物を包装するに際し、粘着テープ等を使用しないで済む包装材および縛付部材を提供する。【解決手段】包装材１１は、下側台紙１１２に接着されている線状の凹凸部１１３またはエンボス部が成形されている上側紙と、線状の凹凸部１１３およびエンボス部における山の部分および谷の部分の全表面に塗布されている自着接着剤１１４とからなり、被包装物を包装する。第１の包装材と第２の包装材を、たとえば、交差するようにして包装する。その際に、第１の包装材は、接着剤側を表にして前記被包装物を包装し、交差するように第２の包装材を前記被包装物に対して前記第１の包装材の接着剤側に接着するように包装する。【選択図】    図１
2005041525.tif 000002
【特許請求の範囲】
【請求項１】
下側台紙に接着されている線状の凹凸部またはエンボス部が成形されている上側紙と、前記線状の凹凸部およびエンボス部の全露出部に付けられている自着接着剤とからなる被包装物を包装する包装材において、
前記接着剤側を表にして前記被包装物を包装する第１の包装材と、
前記被包装物に対して前記第１の包装材の前記接着剤側に接着するように包装する第２の包装材と、
によって前記被包装物を包装することを特徴とする包装材。
【請求項２】
下側台紙に接着されている線状の凹凸部またはエンボス部が成形されている上側紙と、前記線状の凹凸部およびエンボス部の全露出部に付けられている自着接着剤とからなる被包装物を包装する包装材において、
前記接着剤側を表にして前記被包装物を包装する第１の包装材と、
前記被包装物に対して前記第１の包装材の前記接着剤側に接着するとともに、同じ方向に包装する第２の包装材と、
前記接着剤側を表にして第１の包装材と異なる方向に前記被包装物を包装する第３の包装材と、
前記被包装物に対して前記第３の包装材の接着剤側に接着するとともに、第３の包装材と同じ方向に包装する第４の包装材と、
によって前記被包装物を包装することを特徴とする包装材。
【請求項３】
下側台紙に接着されている線状の凹凸部またはエンボス部が成形されている上側紙と、前記線状の凹凸部およびエンボス部の全露出部に付けられている自着接着剤とからなる被包装物を包装する包装材において、
前記接着剤側を表にして前記被包装物を包装する前記被包装物の形状に合わすための切り込み部または切り落とし部を備えた第１の包装材と、
前記被包装物に対して前記第１の包装材の前記接着剤側に位置をずらして接着するように包装する前記被包装物の形状に合わすための切り込み部または切り落とし部を備えた第２の包装材と、
によって前記被包装物を包装することを特徴とする包装材。
【請求項４】
下側台紙に接着されている線状の凹凸部またはエンボス部が成形されている上側紙と、前記線状の凹凸部およびエンボス部の全露出部に付けられている自着接着剤とからなる被包装物を包装する包装材において、
非接着剤側を表にし、接着剤側の間に前記被包装物を挟み、少なくとも３方の接着面が互いに接着するように押圧することにより前記被包装物を包装することを特徴とする包装材。
【請求項５】
前記下側台紙の少なくとも一方の面に防錆剤、防湿材、防水材、ガス遮断材からなる膜または塗料が設けられていることを特徴とする請求項４に記載された包装材。
【請求項６】
前記防錆剤、防湿材、防水材、ガス遮断材には、接着剤が混入していることを特徴とする請求項５に記載された包装材。
【請求項７】
下側台紙に接着されている線状の凹凸部またはエンボス部が成形されている上側紙と、前記線状の凹凸部およびエンボス部の全露出部に付けられている自着接着剤とからなる物を縛り付ける縛付部材において、
前記接着剤側を表にして前記物を縛り付ける第１の縛付部材と、
前記物に対して前記第１の包装材の接着剤側に接着するように付ける第２の縛付部材と、
によって前記物を縛り付けることを特徴とする縛付部材。
【請求項８】
下側台紙に接着されている線状の凹凸部またはエンボス部が成形されている上側紙と、前記線状の凹凸部およびエンボス部の全露出部に付けられている自着接着剤とからなる物を縛り付ける縛付部材において、
前記縛付部材の一方の端部において、接着剤側を表にし、所定の長さ折り返す折り返し部と、
前記縛付部材の他方の端部において、前記接着剤側を前記折り返された接着剤側に押圧することにより物を縛り付けることを特徴とする縛付部材。
【請求項９】
下側台紙に接着されている線状の凹凸部またはエンボス部が成形されている上側紙と、前記線状の凹凸部およびエンボス部の全露出部に付けられている自着接着剤とからなる物を縛り付ける縛付部材において、
前記接着剤側を表にした前記縛付部材の一方の端部と、
前記縛付部材の他方の端部において、前記接着剤側を下にして所定の長さ折り返す折り返し部を設け、前記折り返し部と前記一方の端部の接着剤側とを押圧することにより物を縛り付けることを特徴とする縛付部材。
【請求項１０】
前記線状の凹凸部は、引っ張られる方向に対して直角に成形されていることを特徴とする請求項７ないし請求項９のいずれか１項に記載された縛付部材。
【請求項１１】
前記縛付部材は、接着剤側を内側にして巻回されていることを特徴とする請求項７ないし請求項１０のいずれか１項に記載された縛付部材。
【発明の詳細な説明】
【技術分野】
【０００１】
本発明は、内容物を保護する包装材および物を束ねる際の縛付部材に関するものである。また、本発明の包装材および縛付部材は、公害を発生しない地球に優しい部材からなるものである。
【背景技術】
【０００２】
被包装物を保護するための包装材は、発泡スチロールのような発泡部材、あるいは、空気層を形成するための多数の小空間が設けられた有機樹脂部材からなる包装材等がある。前記包装材は、被包装物を包装した後、粘着テープ等によって固定する。そして、被包装物が輸送された後、前記包装材および粘着テープは、焼却処分される場合が多い。
【発明の開示】
【発明が解決しようとする課題】
【０００３】
しかし、前記包装材は、全て有機樹脂からなり、焼却処分された場合、高温を発生し焼却炉を傷めるだけでなく、ダイオキシン等の有害ガスを発生するという大きな問題を有している。
【０００４】
以上の課題を解決するために、本発明は、包装材を焼却処分しても、高温やダイオキシンの発生がなく、地球に優しい包装材および縛付部材を提供することを目的とする。また、本発明は、被包装物を包装するに際し、粘着テープ等を使用しないで済む包装材および縛付部材を提供することを目的とする。
【課題を解決するための手段】
【０００５】
（第１発明）
本発明の包装材は、下側台紙に接着されている線状の凹凸部またはエンボス部が成形されている上側紙と、前記線状の凹凸部およびエンボス部の全露出部に付けられている自着接着剤とからなる被包装物を包装するものであり、前記接着剤側を表にして前記被包装物を包装する第１の包装材と、前記被包装物に対して前記第１の包装材の前記接着剤側に接着するように包装する第２の包装材と、によって前記被包装物を包装することを特徴とする。
【０００６】
（第２発明）
本発明の包装材は、下側台紙に接着されている線状の凹凸部またはエンボス部が成形されている上側紙と、前記線状の凹凸部およびエンボス部の全露出部に付けられている自着接着剤とからなる被包装物を包装するものであり、前記接着剤側を表にして前記被包装物を包装する第１の包装材と、前記被包装物に対して前記第１の包装材の前記接着剤側に接着するとともに、同じ方向に包装する第２の包装材と、前記接着剤側を表にして第１の包装材と異なる方向に前記被包装物を包装する第３の包装材と、前記被包装物に対して前記第３の包装材の接着剤側に接着するとともに、第３の包装材と同じ方向に包装する第４の包装材と、によって前記被包装物を包装することを特徴とする。
【０００７】
（第３発明）
第３発明の包装材は、下側台紙に接着されている線状の凹凸部またはエンボス部が成形されている上側紙と、前記線状の凹凸部およびエンボス部の全露出部に付けられている自着接着剤とからなる被包装物を包装するものであり、前記接着剤側を表にして前記被包装物を包装する前記被包装物の形状に合わすための切り込み部または切り落とし部を備えた第１の包装材と、前記被包装物に対して前記第１の包装材の前記接着剤側に位置をずらして接着するように包装する前記被包装物の形状に合わすための切り込み部または切り落とし部を備えた第２の包装材と、によって前記被包装物を包装することを特徴とする。
【０００８】
（第４発明）
第４発明の包装材は、下側台紙に接着されている線状の凹凸部またはエンボス部が成形されている上側紙と、前記線状の凹凸部およびエンボス部の全露出部に付けられている自着接着剤とからなる被包装物を包装するものであり、非接着剤側を表にし、接着剤側の間に前記被包装物を挟み、少なくとも３方の接着面が互いに接着するように押圧することにより前記被包装物を包装することを特徴とする。
【０００９】
（第５発明）
第５発明の包装材は、下側台紙の少なくとも一方の面に防錆剤、防湿材、防水材、ガス遮断材からなる膜または塗料が設けられていることを特徴とする。
【００１０】
（第６発明）
第６発明の包装材において、防錆剤、防湿材、防水材、ガス遮断材には、接着剤が混入されていることを特徴とする。
【００１１】
（第７発明）
第７発明の縛付部材は、下側台紙に接着されている線状の凹凸部またはエンボス部が成形されている上側紙と、前記線状の凹凸部およびエンボス部の全露出部に付けられている自着接着剤とからなる物を縛り付けるものであり、前記接着剤側を表にして前記物を縛り付ける第１の縛付部材と、前記物に対して前記第１の包装材の接着剤側に接着するように付ける第２の縛付部材と、によって前記物を縛り付けることを特徴とする。
【００１２】
（第８発明）
第８発明の縛付部材は、下側台紙に接着されている線状の凹凸部またはエンボス部が成形されている上側紙と、前記線状の凹凸部およびエンボス部の全露出部に付けられている自着接着剤とからなる物を縛り付けるものであり、前記縛付部材の一方の端部において、接着剤側を表にし、所定の長さ折り返す折り返し部と、前記縛付部材の他方の端部において、前記接着剤側を前記折り返された接着剤側に押圧することにより物を縛り付けることを特徴とする。
【００１３】
（第９発明）
第９発明の縛付部材は、下側台紙に接着されている線状の凹凸部またはエンボス部が成形されている上側紙と、前記線状の凹凸部およびエンボス部の全露出部に付けられている自着接着剤とからなる物を縛り付けるものであり、前記接着剤側を表にした前記縛付部材の一方の端部と、前記縛付部材の他方の端部において、前記接着剤側を下にして所定の長さ折り返す折り返し部を設け、前記折り返し部と前記一方の端部の接着剤側とを押圧することにより物を縛り付けることを特徴とする。
【００１４】
（第１０発明）
第１０発明の縛付部材は、線状の凹凸部は、引っ張られる方向に対して直角に成形されていることを特徴とする。
【００１５】
（第１１発明）
第１１発明の縛付部材は、接着剤側を内側にして巻回されていることを特徴とする。
【発明の効果】
【００１６】
本発明によれば、被包装物を容易に保護するとともに、焼却する際に公害が起きない地球に優しい包装材である。
【００１７】
本発明によれば、接着面における凹凸部やエンボス部が互いに入り込むことになり、接着表面積を大きくするため、環境に優しい接着剤を使用しても、所定の接着強度を得ることができる。
【００１８】
本発明によれば、包装材によって、被包装物の全周を包み込むことができるため、防錆、耐湿、耐水、耐ガスが必要な被包装物を包装することができる。また、前記包装材の表面に、直接宛て名を書いて郵送等を行うことができる。
【００１９】
本発明によれば、包装材をテープ状に切断し、縛付部材として新聞紙や古雑誌等を束ねる場合、ビニール紐のように外すことなく、再生処理をこのまま行うことができる。  
【発明を実施するための最良の形態】
【００２０】
（第１発明）
第１発明の包装材は、下側台紙に接着されている線状の凹凸部またはエンボス部が成形されている上側紙と、前記線状の凹凸部およびエンボス部における山の部分および谷の部分の全表面に塗布されている自着接着剤とからなり、被包装物を包装する。前記エンボス部は、丸状、四角状、その他の任意の形状からなり、縦、横、両方向の斜め等に折り曲げが容易に構成されている。
【００２１】
また、自着接着剤は、接着力があまり強くなく、カゼイン系あるいは天然ゴム系の水性接着剤が望ましい。前記自着接着剤は、接着面どうしが接着するが他の物、たとえば、被包装物には接着しない程度の接着力を有するものである。第１発明は、第１の包装材と第２の包装材を、たとえば、交差するようにして包装する。その際に、第１の包装材は、着剤側を表にして前記被包装物を包装し、交差するように第２の包装材を前記被包装物に対して前記第１の包装材の接着剤側に接着するように包装する。
【００２２】
第１の包装材と第２の包装材は、互いに接着面を合わせる際に、凸部が凹部に入り、また、エンボス部とエンボスの無い部分が互いに入り込むことになり、接着表面積を大きくするため、環境に優しい接着剤を使用しても、所定の強度を得ることができる。前記第１の包装材と第２の包装材の重なり合わされる領域は、クッション性または接着性を考慮して、全部または一部とすることができる。
【００２３】
前記線状の凹凸部またはエンボス部は、被包装物を包装した際のクッションとなるだけでなく、表面に塗布または設けられている自着接着剤によって固定されているため、粘着テープによって止める必要がない。したがって、第１発明は、不要になった包装材を焼却処分しても、焼却炉を高温にすることがなく、また、ダイオキシン等の有害ガスの発生がない。
【００２４】
（第２発明）
第２発明は、第１発明が接着剤が塗布された面が露出するのに対して、包装材の非接着面が表面にできるだけ出るようにしたものである。第１の包装材は、  接着剤側を表にして前記被包装物を包装する。第２の包装材は、前記被包装物に対して前記第１の包装材の接着剤側に接着するとともに、第１の包装材と同じ方向に包装する。次に、第３の包装材は、たとえば、９０度位置を変えて接着剤側を表にして前記被包装物を包装する。第４の包装材は、前記被包装物に対して前記第３の包装材の接着剤側に接着するとともに、第３の包装材と同じ方向に包装する。
【００２５】
前記第２発明によって包装された被包装物は、一部が４重になるため、クッション性が大きい保護物となる。また、前記のように包装された被包装物は、隅部が丈夫であり、搬送中の保護を充分に達成することができる。
【００２６】
（第３発明）
第３発明は、複雑な形状をした被包装物を包装する点で、第１発明および第２発明と異なっている。第１の包装材は、前記被包装物の形に合った、接着剤側を表にして前記被包装物を包装し、その際に、互いに重ね合う部分に対して、切り込み部または切り落とし部が設けられる。第２の包装材も同様に切り込み部または切り落とし部が設けられる。
【００２７】
第１の包装材は、前記被包装物に対して接着面を表にして包装され、その上に、前記第２の包装材が前記第１の包装材と位置をずらして接着するように包装される。前記第１および第２の包装材に設けられた切り込み部または切り落とし部は、複雑な被包装物を包装する際に、フィットし易く、包装も容易になる。
【００２８】
（第４発明）
第１発明ないし第３発明が二つの包装材によって、一つの被包装物を包装するものであったのに対して、第４発明の包装材は、一つの包装材に対して、非接着剤側を表にし、たとえば、二つ折りにする。その後、前記包装材の接着剤面と接着剤面との間に前記被包装物を挟み入れ、前記少なくとも三方の接着面を押圧する。
【００２９】
すなわち、前記包装材は、被包装物より接着剤部分を押圧する面だけ大きくとる必要がある。また、前記包装材を二つ折りにする代わりに、被包装物は、二つの包装材によって、挟まれ、互いに重ね合わされた四方を押圧することで、互いに凹部と凸部が入り込み、接着される。
【００３０】
（第５発明）
第５発明の包装材は、台紙の少なくとも一方に防錆剤、防湿材、防水材、ガス遮断材からなる膜または塗料が設けられている。前記防錆剤が塗布された包装材は、錆びては困るような被包装物を入れておくことにより、長期保存が可能である。また、防湿材、防水材、ガス遮断材が設けられている包装材は、その内部に湿気、水分、ガス等を嫌う被包装物を入れておくことにより、長期保存が可能である。第５発明の包装は、互いに接着する接着面を充分にとり、たとえば、機械で平面が出ているプレス機のようなもので、押圧することが望ましい。
【００３１】
（第６発明）
第６発明の包装材は、接着剤の中に前記防錆剤、防湿材、防水材、ガス遮断材を混入させている。前記第６発明の接着剤は、被包装物を外部に曝さないという目的を考慮して、第１ないし第５発明のものより、接着力を高くすることが望ましい。
【００３２】
（第７発明）
第７発明は、前記包装材をテープ状に切断し、互いの接着面を接着して、縛付部材として使用するものである。第７発明の縛付部材は、縛り付け強度が低いものに使用するのが望ましい。たとえば、新聞紙や古雑誌等を束ねる場合、これらがバラバラにならないように束ねるのに適している。すなわち、新聞紙や古雑誌は、本発明の縛付部材で束ねた場合、ビニール紐のように外すことなく、再生処理を行うことができる。
【００３３】
第１の縛付部材は、たとえば、新聞紙の束の上に沿って、接着剤側を表にして巻き付ける。その後、第２の縛付部材は、前記第１の包装材の接着剤側に接着するように縛り付ける。第１および第２の縛付部材は、紙から構成されているため、ビニール紐に較べて滑り難く、縛り付けることができる。前記第１の縛付部材と第２の縛付部材との重ね合わせる領域を全面または一部にすることは任意にできる。
【００３４】
（第８発明）
第８発明は、第７発明が第１および第２の縛付部材からなるのに対して、一本の縛付部材からなる点で異なっている。第８発明の縛付部材は、その一方の端部において、接着剤側を表にし、所定の長さ折り返す折り返し部を作る。次に、前記縛付部材の他方の端部は、前記接着剤側を前記折り返された折り返し部の接着剤側に押圧することにより物を縛り付けることができる。第８発明は、一本の縛付部材で縛り付けることができるため、便利である。
【００３５】
（第９発明）
第９発明は、第８発明が縛付部材の端部以外、接着剤側が内面を向いているのに対して、接着剤側が外面に露出している点で異なっている。すなわち、第９発明は、接着剤側を表にした前記縛付部材の一方の端部と、前記縛付部材の他方の端部における接着剤側を下にして所定の長さ折り返す折り返し部を設け、前記折り返し部と前記一方の端部とを押圧することにより物を縛り付ける。
【００３６】
（第１０発明）
第１０発明の縛付部材に設けられている線状の凹凸部は、引っ張られる方向に対して直角に成形されていることにより、引っ張り方向の強度を増加している。
【００３７】
（第１１発明）
第１１発明の縛付部材は、接着剤が内側に付けられているため、巻回して保存される。前記縛付部材を使用する場合、前記巻回された縛付部材をほどき、所定の長さに切断して使用する。
【実施例】
【００３８】
図１は本発明の実施例に使用される包装材を説明するための斜視図である。図１に示された包装材１１は、台紙１１２の上の全面に線状の凹凸部１１３が設けられている。また、前記線状の凹凸部１１３の山および谷の全面にわたって自着接着剤１１４が付けられている。前記自着接着剤１１４は、たとえば、カゼイン系ラベル用接着剤、天然ゴム系水性接着剤を使用する。前記包装材１１は、いわゆるクラフト紙を使用することができる。前記自着接着剤１１４は、接着面どうしを付けることにより接着し、接着剤がないものとは接着されない。
【００３９】
図２は本発明の実施例に使用される包装材を説明するための斜視図である。図２に示された包装材１２は、台紙１１２の上の全面にエンボス１２３が設けられている。前記エンボス１２３は、丸、三角、四角等任意の形状からなる。また、前記エンボス１２３は、縦、横、斜め方向に折り曲げた際に、突出した部分に当たらないように整列されている。前記包装材１２は、前記突出した部分および谷の部分全面に前記自着接着剤１１４が付けられている。
【００４０】
図３は本発明の第１実施例であり、被包装物を包装材で包装した状態を説明するための断面図である。図３において、被包装物３１は、包装するに適した幅と長さの第１の包装材１１で、前記第１の包装材１１の接着面１１３を表に向け、たとえば、６面体であれば、その４面を囲む。残された２面は、他の第２の包装材１１′の接着面１１３′を前記第１の包装材１１の接着面１１３と接着する方向に向けて囲むようにして包装される。
【００４１】
第１および第２の包装材１１、１１′の端部３２は、図３において、接続しているが、離すこともできる。図３に示すように前記端部３２をほぼ接続するように包装する場合、二重になる部分が２面できるため、この部分をより保護することができる。図３に示す包装材１１、１１′は、接着剤が付いている面が表面に一部残される。
【００４２】
図４は本発明の第２実施例であり、被包装物を包装材で包装した状態を説明するための断面図である。図４に示された包装は、表面に接着剤が付いている面を出さずに、より被包装物を保護するものである。図４において、第１の包装材１１は、接着面１１３を表に向けて被包装物４１の上に巻き付けられる。第２の包装材１１′は、自着接着剤１１４を前記接着面１１３に接着するように同じように巻き付けられる。
【００４３】
次に、第３の包装材４２は、前記第２の包装材１１′と９０度異なる方向で、その接着面を表に向け前記被包装物４１の上から巻き付けられる。そして、第４の包装材４２′は、前記第３の包装材４２の接着面に接着するように第３の包装材４２の上に巻き付けられる。第２実施例は、一部が４重で他の部分が２重になっているため、被包装物４１の保護をより良くすることができる。
【００４４】
図５（イ）、（ロ）は本発明の第３実施例であり、被包装物の上部および下部と側面を包装する包装材を説明するための図である。図５において、包装材５１は、その上下に切り込み部５２が所定間隔と角度で設けられている。前記切り込み部５２の間隔、角度、および長さ等は、被包装物の形状によって異なる。第１の包装材５１は、接着面１１３を表に向けて、被包装物に巻き付けられる。
【００４５】
次に、切り込み部５２は、被包装物の形状に沿って折り曲げられ、被包装物の上面および下面を覆う。そして、図示されていない、第２の包装材は、前記接着面１１３と接着するように被包装物に巻き付けられる。その後、前記切り込み部５２は、被包装物の上面および下面に沿って折り曲げられる。第３実施例は、二枚の包装材によって球形、円筒形、あるいはその他の形状のものを包装するのに適している。
【００４６】
図６は本発明の第４実施例であり、複雑な形状をした被包装物を包装する包装材を説明するための図である。図６において、包装材６１は、複雑な形状に合わせた切り込み部６３および切り落とし部６４を備えている。図６に示す包装材６１は、たとえば、ワインボトルを包装するのに適している。上部６２は、ワインボトルの栓近傍を、中間部は、ボトルの周囲を、切り込み部６３を有する部分は、ボトルの底部をそれぞれ保護することができる。
【００４７】
なお、前記包装材６１を包装する第２の包装材（図示されていない）は、第１の包装材６１より大きくとり、前記第１の包装材６１と互いに接着する面以外の面を設け、この部分に開口部を設け、この部分で持ち運ぶのを便利にすることができる。
【００４８】
図７（イ）、（ロ）、（ハ）は本発明の第５実施例であり、偏平形状の被包装物を包装する包装材を説明するための図である。図７において、包装材１１は、接着面１１３を内側にして二つ折りにし、その接着面１１３の内部に、たとえば、被包装物（本）７１等が挟み込まれる。その後、包装材１１は、その側部押圧部７２、上部押圧部７３、および下部押圧部７４がそれぞれ押圧されることによって包装される。
【００４９】
また、第５実施例は、包装材１１を二つ折りにする代わりに、二つの包装材によって上下から挟み込み、四方を押圧することによっても達成できる。
【００５０】
被包装物には、錆、湿気、水分、ガス等を嫌うものがある。前記被包装物は、前記包装材１１の少なくとも一面に防錆剤、防湿材、防水材、ガス遮断材を塗布または形成させることにより、長期にわたって保護される。
【００５１】
図８（イ）および（ロ）は本発明の第６実施例であり、包装材をテープ状に切断した縛付部材を説明するための図である。図８において、第１の縛付部材８１、および第２の縛付部材８１′（図示されていない）は、図１に示す包装材１１を線状の凹凸方向に対して直角に切断したものである。すなわち、縛付部材８１、８１′は、縦方向（図において）の線状の凹凸部８１３が成形されているとともに、接着剤が付けられている。
【００５２】
図９（イ）および（ロ）は本発明の第７実施例であり、包装材をテープ状に切断した縛付部材を説明するための図である。図９において、第１の縛付部材９１、および第２の縛付部材９１′（図示されていない）は、図８に示す縛付部材と線状凹凸部の方向が９０度異なっている点でのみ相違する。、縛付部材９１、９１′は、横方向の凹凸部９１３が成形されているとともに、接着剤が付けられている。
【００５３】
図８および図９には、線状凹凸部が設けられた縛付部材のみが示されているが、図２に示すエンボスタイプの縛付部材とすることもできる。前記各縛付部材の締め付け強度は、前記接着剤の接着強度と接着面積によって決められる。
【００５４】
図１０は図８および図９の縛付部材を利用した本発明の第８実施例を説明するための図である。図１０において、たとえば、古新聞や古雑誌等は、束ねられた後、第１の縛付部材８１によって、その接着面８１３を表にして巻き付けられる。第２の縛付部材８１′は、接着面８１３′（図示されていない）を前記第１の縛付部材８１の接着面８１３に合わせるようにして巻き付けられる。
【００５５】
前記古新聞や古雑誌等は、必要に応じて、前記第１の縛付部材８１および第２の縛付部材８１′に対して、直角方向に同様に第１の縛付部材９１と第２の縛付部材９１′とによって巻き付けられる。
【００５６】
前記縛付部材８１および８１′によって巻き付けられた古新聞や古雑誌等は、再処理工場において、縛付部材８１（９１）および８１′（９１′）を取り外すことなく再生処理を行うことができる。前記縛付部材８１（９１）、および８１′（９１′）は、接着剤が付いているため、容易にこれらを束ねることができる。
【００５７】
図１１（イ）および（ロ）は本発明の第９実施例であり、包装材をテープ状に切断した縛付部材の他の使用例を説明するための図である。図１１（イ）において、縛付部材８１は、図８に示す端部を折り込んで折り込み部８１７を作製し、接着面を表面に出す。縛付部材８１の他の端部における接着部８１８を下に向け、前記折り込み部８１７に重ねることにより接着させる。
【００５８】
図１１（ロ）において、縛付部材８１における一方の端部における接着面を上面にした接着部８１７は、他方の端部を折り込んで接着面を下面にした折り込み部８１８を作製し、前記折り込み部８１８が重なり押圧されることにより接続される。
【産業上の利用可能性】
【００５９】
以上、本実施例を詳述したが、本発明は、前記本実施例に限定されるものではない。そして、本発明は、特許請求の範囲に記載された本発明を逸脱することがなければ、種々の設計変更を行うことが可能である。本実施例における接着剤は、焼却の際に有害物質を放出しないものであれば、特に限定されない。また、包装材および縛付部材の紙質は、漂白されたもの無漂白のもののいずれでも良く、接着部における接着面積が大きくなるように加工されていればよい。
【００６０】
接着剤は、包装および縛め付けるための目的によって、強度を変えることができる。また、被包装物の形状は、特に限定されるものではない。また、前記複雑な被包装物の場合、その形状に合わせるための切り込み部および切り落とし部の形状についても、限定されるものではない。
【図面の簡単な説明】
【００６１】
【図１】本発明の実施例に使用される包装材を説明するための斜視図である。
【図２】本発明の実施例に使用される包装材を説明するための斜視図である。
【図３】本発明の第１実施例であり、被包装物を包装材で包装した状態を説明するための断面図である。
【図４】本発明の第２実施例であり、被包装物を包装材で包装した状態を説明するための断面図である。
【図５】（イ）、（ロ）は本発明の第３実施例であり、被包装物の上部および下部と側面を包装する包装材を説明するための図である。
【図６】本発明の第４実施例であり、複雑な形状をした被包装物を包装する包装材を説明するための図である。
【図７】（イ）、（ロ）、（ハ）は本発明の第５実施例であり、偏平形状の被包装物を包装する包装材を説明するための図である。
【図８】（イ）および（ロ）は本発明の第６実施例であり、包装材をテープ状に切断した縛付部材を説明するための図である。
【図９】（イ）および（ロ）は本発明の第７実施例であり、包装材をテープ状に切断した縛付部材を説明するための図である。
【図１０】図８および図９の縛付部材を利用した本発明の第８実施例を説明するための図である。
【図１１】（イ）および（ロ）は本発明の第９実施例であり、包装材をテープ状に切断した縛付部材の他の使用例を説明するための図である。
【符号の説明】
【００６２】
１１、１２・・・包装材
１１２・・・台紙
１１３・・・線状の凹凸部（接着面）
１１４・・・自着接着剤（接着面）
１２３・・・エンボス
３１、４１、７１、１０１１・・・被包装物
３２・・・端部
８１、８１′・・・縛付部材
８１３、８１３′・・・凹凸部（接着面）
８１７、８１７′、８１８、８１８′・・・接着部（折り込み部）
９１、９１′・・・縛付部材
９１３、９１３′・・・凹凸部（接着面）
９１７、９１７′、８１８、８１８′・・・接着部（折り込み部）
【図１】
2005041525.tif 000003
【図２】
2005041525.tif 000004
【図３】
2005041525.tif 000005
【図４】
2005041525.tif 000006
【図５】
2005041525.tif 000007
【図６】
2005041525.tif 000008
【図７】
2005041525.tif 000009
【図８】
2005041525.tif 000010
【図９】
2005041525.tif 000011
【図１０】
2005041525.tif 000012
【図１１】
2005041525.tif 000013